(57)【特許請求の範囲】
【請求項１】
デジタルテレビジョン信号又はアナログテレビジョン信号を復調してデジタルのベースバンド信号またはアナログのベースバンド信号を生成するＩ／Ｑ復調器と、前記アナログのベースバンド信号をアップコンバートするＩ／Ｑ変調器とを備え、前記Ｉ／Ｑ復調器を構成する一対の第一の混合器と前記Ｉ／Ｑ変調器を構成する一対の第二の混合器との間に一対のローパスフィルタを設け、前記ローパスフィルタからデジタルのベースバンド信号を出力すると共に、前記Ｉ／Ｑ変調器から周波数変換されたアナログテレビジョン信号を出力し、前記ローパスフィルタのカットオフ周波数を変えられるようにしたことを特徴とするテレビジョンチューナ。
【請求項２】
前記第一の混合器と前記第二の混合器とをワンパッケージの集積回路内に設けたことを特徴とする請求項１記載のテレビジョンチューナ。
【請求項３】
前記ローパスフィルタのカットオフ周波数を２ＭＨｚ乃至３０ＭＨｚの範囲で変えられるようにしたことを特徴とする請求項１又は２記載のテレビジョンチューナ。
【発明の詳細な説明】
【０００１】
【発明の属する技術分野】
この発明は、アナログテレビジョン信号とデジタルテレビジョン信号とを受信可能なテレビジョンチューナに関する。
【０００２】
【従来の技術】
図２は、発明者らが従来から考えていた、アナログテレビジョン信号とデジタルテレビジョン信号とを受信可能なテレビジョンチューナ（以下共用チューナという）の構成を示す回路図である。
【０００３】
図２において、バンドパスフィルタ２１には、屋外のダウンコンバータ（図示せず）によって１乃至２ＧＨｚに周波数変換された衛星放送用のアナログテレビジョン信号又はデジタルテレビジョン信号が入力される。これらテレビジョン信号は増幅器２２で増幅され、次段のバンドパスフィルタ２３から出力される。
【０００４】
バンドパスフィルタ２３から出力されるデジタルテレビジョン信号はＩ／Ｑ復調器２４を構成する二つの混合器２４ａ、２４ｂに入力される。混合器２４ａ、２４ｂには局部発振器２５から出力される局部発振信号が入力される。局部発振周波数は受信するデジタルテレビジョン信号の周波数と等しくなっている。また、一方の混合器２４ｂには移相器２６を介して局部発振信号が入力されるので、互いの局部発振信号の位相は９０°異なっている。そして、混合器２４ａ、２４ｂからは位相が互いに直交関係にあるベースバンド信号（Ｉ信号、Ｑ信号）がそれぞれ出力される。各ベースバンド信号はローパスフィルタ２７、２８を介して出力され、図示しないデジタル処理回路によって処理される。
【０００５】
一方、バンドパスフィルタ２３から出力されるアナログテレビジョン信号は混合器２９に入力され、局部発振器３０から入力される局部発振信号と混合されて受信するチャンネルのアナログテレビジョン信号のみが所定の周波数（例えば中心周波数４８０ＭＨｚ）の中間周波信号に変換される。中間周波信号はバンドパスフィルタ３１を介して出力され、図示しないアナログ処理回路によって処理される。
【０００６】
バンドパスフィルタ３１は、隣接するデジタルテレビジョン信号による妨害を避けるために急峻な選択度特性（スカート特性）を必要とするのでＳＡＷフィルタによって構成される。そして、衛星から送信されるアナログテレビジョン信号の１チャンネルの帯域は通常２４乃至２７ＭＨｚであるが、放送衛星によっては３０ＭＨｚ以上の広い帯域を有しているテレビジョン信号も存在するので、その通過帯域は約３６ＭＨｚ程度としている。
【０００７】
【発明が解決しようとする課題】
しかし、従来の共用チューナでは、狭い帯域のアナログテレビジョン信号を受信した場合は、バンドパスパスフィルタ３１の通過帯域幅がそれ以上に広いので、Ｓ／Ｎが悪化するという問題があった。
また、バンドパスフィルタ３１は、急峻な選択度特性（スカート特性）を実現するため挿入損失が大きく、レベル補正のための増幅器を必要としていた。
【０００８】
そこで、本発明のテレビジョンチューナは、アナログテレビジョン信号の帯域の如何（違い）に関わらず常にＳ／Ｎ特性のすぐれた受信が出来るようにする事を目的とする。
【０００９】
【課題を解決するための手段】
上記の課題を解決するため、本発明のテレビジョンチューナは、デジタルテレビジョン信号又はアナログテレビジョン信号を復調してデジタルのベースバンド信号またはアナログのベースバンド信号を生成するＩ／Ｑ復調器と、前記アナログのベースバンド信号をアップコンバートするＩ／Ｑ変調器とを備え、前記Ｉ／Ｑ復調器を構成する一対の第一の混合器と前記Ｉ／Ｑ変調器を構成する一対の第二の混合器との間に一対のローパスフィルタを設け、前記ローパスフィルタからデジタルのベースバンド信号を出力すると共に、前記Ｉ／Ｑ変調器から周波数変換されたアナログテレビジョン信号を出力し、前記ローパスフィルタのカットオフ周波数を変えられるようにした。
【００１０】
また、前記第一の混合器と前記第二の混合器とをワンパッケージの集積回路内に設けた。
【００１１】
また、前記ローパスフィルタのカットオフ周波数を２ＭＨｚ乃至３０ＭＨｚの範囲で変えられるようにした。
【００１２】
【発明の実施の形態】
図１は、本発明のアナログテレビジョン信号とデジタルテレビジョン信号とを受信可能なテレビジョンチューナ（以下共用チューナという）の構成を示す回路図である。
【００１３】
図１において、バンドパスフィルタ１には、屋外のダウンコンバータ（図示せず）によって１乃至２ＧＨｚに周波数変換された衛星放送用のアナログテレビジョン信号又はデジタルテレビジョン信号が入力される。
デジタルテレビジョン信号の１チャンネルの帯域は、一般的にはアナログテレビジョン信号の帯域よりも広いが、その値は送信する放送衛星の違いによって異なり５ＭＨｚ乃至６０ＭＨｚの範囲である。また、アナログテレビジョン信号の帯域も放送衛星の違いによって異なっており、２４ＭＨｚ乃至２７ＭＨｚである。
これらテレビジョン信号は増幅器２で増幅され、次段のバンドパスフィルタ３から出力される。
【００１４】
バンドパスフィルタ３から出力されるアナログテレビジョン信号又はデジタルテレビジョン信号はＩ／Ｑ復調器４を構成する一対の第一の混合器４ａ、４ｂに入力される。第一の混合器４ａ、４ｂには第一の局部発振器５から出力される局部発振信号が入力される。局部発振周波数は受信するアナログテレビジョン信号又はデジタルテレビジョン信号の周波数と等しくなっている。また、一方の混合器４ｂには第一の移相器６を介して局部発振信号が入力されるので、互いの局部発振信号の位相は９０°異なっている。
【００１５】
そして、第一の混合器４ａ、４ｂからは位相が互いに直交関係にある、アナログのベースバンド信号又はデジタルのベースバンド信号が出力される。各混合器４ａ、４ｂから出力されたアナログのベースバンド信号又はデジタルのベースバンド信号はそれぞれ一対のローパスフィルタ７、８を介して出力される。ローパスフィルタ７、８は集積回路化され、そのカットオフ周波数はベースバンド信号のスペクトラムの最高周波数に対応して２ＭＨｚ乃至３０ＭＨｚの範囲で外部から変更できるようになっている。そしてローパスフィルタ７、８から出力されたデジタルのベースバンド信号は図示しないデジタル処理回路によって処理される。
【００１６】
一方、ローパスフィルタ７、８から出力されたアナログのベースバンド信号はＩ／Ｑ変調器９を構成する一対の第二の混合器９ａ、９ｂにそれぞれ入力される。第二の混合器９ａ、９ｂはＩ／Ｑ復調器４の混合器４ａ、４ｂと共にワンパッケージの集積回路内に構成される。第二の混合器９ａ、９ｂには第二の局部発振器１０から出力される局部発振信号が入力される。局部発振周波数はアナログテレビジョンの中間周波数（例えば４８０ＭＨｚ）に設定されている。また、一方の混合器９ｂには第二の移相器１１を介して局部発振信号が入力されるので、互いの局部発振信号の位相は９０°異なっている。そして、局部発振信号は搬送波信号となってアナログのベースバンド信号によって変調される。従って、アナログのベースバンド信号はＩ／Ｑ変調器９によって中間周波数にアップコンバートされる。変調された二つの信号は加算器１２によって加算され、図示しない後段のアナログ処理回路によって処理される。
【００１７】
なお、以上の説明では衛星放送のテレビジョン信号を受信するチューナについて述べたが、これに限ることなく、いわゆる地上波のテレビジョン信号を受信するチューナに適用出来ることは言うまでもない。
【００１８】
【発明の効果】
以上のように、本発明のテレビジョンチューナは、デジタルテレビジョン信号又はアナログテレビジョン信号を復調してデジタルのベースバンド信号またはアナログのベースバンド信号を生成するＩ／Ｑ復調器と、アナログのベースバンド信号をアップコンバートするＩ／Ｑ変調器とを備え、Ｉ／Ｑ復調器を構成する一対の第一の混合器とＩ／Ｑ変調器を構成する一対の第二の混合器との間に一対のローパスフィルタを設け、ローパスフィルタからデジタルのベースバンド信号を出力すると共に、Ｉ／Ｑ変調器から周波数変換されたアナログテレビジョン信号を出力し、ローパスフィルタのカットオフ周波数を変えられるようにしたので、デジタルテレビジョン信号のチャンネル当たりの帯域とアナログテレビジョン信号のチャンネル当たりの帯域に合わせてローパスフィルタのカットオフ周波数を変えればそれぞれのテレビジョン信号を最良のＳ／Ｎの状態で受信できる。
【００１９】
また、第一の混合器と第二の混合器とをワンパッケージの集積回路内に設けたので、Ｉ／Ｑ復調器とＩ／Ｑ変調器とをコンパクトに構成する事が出来る。
【００２０】
また、ローパスフィルタのカットオフ周波数を２ＭＨｚ乃至３０ＭＨｚの範囲で変えられるようにしたので、ほとんど全ての放送衛星から送信されるテレビジョン信号を簡単な構成でＳ／Ｎが良く受信できる。
【図面の簡単な説明】
【図１】本発明のテレビジョンチューナのブロック構成図である。
【図２】従来のテレビジョンチューナのブロック構成図である。
【符号の説明】
１  バンドパスフィルタ
２  高周波増幅器
３  バンドパスフィルタ
４  Ｉ／Ｑ復調器
４ａ、４ｂ  第一の混合器
５  第一の局部発振器
６  第一の移相器
７、８  ローパスフィルタ
９  Ｉ／Ｑ変調器
９ａ、９ｂ  第二の混合器
１０  第二の局部発振器
１１  第二の移相器
１２  加算器
【図１】
0003756037.tif 000002
【図２】
0003756037.tif 000003